(57)【特許請求の範囲】
【請求項１】
除湿する空気の吸気から排気に至る風路内に配設された吸湿材により空気中の水分を吸湿して乾燥した空気を排気する除湿機において、
空気中の水分を吸着・離脱する吸湿材を充填した吸湿器と、除湿された空気から熱を回収する熱交換器と、前記吸湿器を加熱して吸湿材に吸着された水分を離脱させるためのヒータと、前記吸湿材から水分を離脱した高温の空気から水分を凝縮する凝縮器を備え、
吸込口から吸い込まれた室内空気が、前記凝縮器と接触して該凝縮器を冷却した後、前記吸湿器により除湿され、該除湿された空気が前記熱交換器により熱を回収されて比較的低い温度の乾燥した空気となって吹出口に至る吸湿経路と、
前記凝縮器より流出した空気が、前記熱交換器によって予熱され、さらに前記ヒータによって加熱された後、前記吸湿器の吸湿材から水分を離脱させ、該水分を離脱された空気が前記凝縮器にて水分を凝縮される閉回路を構成する再生経路とを有し、
前記吸湿経路において、前記吸湿器を通過した後、前記熱交換器により熱を回収された比較的低い温度の乾燥した空気の排気として、布団などを乾燥させるための排気口を設けたことを特徴とする除湿機。
【請求項２】
前記吹出口の面積よりも小さい面積になるように形成されたダクト接続部と、該ダクト接続部に一端が連通接続されるダクトと、前記吹出口を開放若しくは閉塞するダンパーとを有し、前記ダクトの他端は除湿機本体に着脱自在に装着されており、該他端を脱した状態で使用され、前記ダンパーによって前記吹出口を閉塞状態とすることにより前記ダクトを経由して排気される乾燥した空気を用いて布団などの乾燥を行えるようにしたことを特徴とする請求項１に記載の除湿機。
【請求項３】
前記吸湿経路内に設けられた第１送風手段と、前記再生経路内に設けられた第２送風手段とを有することを特徴とする請求項２に記載の除湿機。
【請求項４】
前記ダンパーの開閉を検知するダンパー開閉検知手段と、前記ダクトの除湿機本体への上記装着を検知するダクト収納検知手段と、これらの手段の出力を用いて、（１）前記ダンパーが開かれている場合において、前記ダクト収納検知手段により前記ダクトの上記他端装着が検知されたときは、除湿モードで除湿機を運転し、（２）前記ダンパーが閉じられている場合において、前記ダクト収納検知手段により前記ダクトの上記他端装着が検知されなかったときは、布団乾燥モードで除湿機を運転し、（３）（１）又は（２）のいずれにも該当しないときは、除湿機の運転を停止させるように制御する制御部とを設けたことを特徴とする請求項２又は請求項３に記載の除湿機。
【請求項５】
前記第１送風手段を前記吸湿器の上流側に設け、前記第１送風手段により吸い込まれた室内の空気が、第１送風手段、凝縮器、吸湿器、熱交換器の順に通過することを特徴とする請求項３又は請求項４に記載の除湿機。
【発明の詳細な説明】
【０００１】
【発明の属する技術分野】
本発明は、吸湿材を備えた除湿機に関するものである。
【０００２】
【従来の技術】
吸着材を使用した従来の布団乾燥機の一例が特開平６−１０５９９２号公報に開示されている。この従来の布団乾燥機の構成を図８を参照して説明する。ケーシング内に形成された風路１０１には、吸着材１０２と加熱源１０３とからなる吸着部１０４と、該吸着部１０４に送風する正逆送風可能な送風機１０５とが設けられている。風路１０１の上流端には吸込口１０６を設けており、下流端には吹出口１０７ａと排気口１０７ｂの一方と連通させる風路切換部１０８を設けている。制御回路１０９は加熱源１０３、送風機１０５及び風路切換部１０８を運転制御する。
【０００３】
上記構成において動作を図８及び図９を参照して説明する。主電源を投入すると、運転回路１３０はタイマー回路１３１の信号を受ける毎に乾燥回路１２１と脱離回路１２２とを交互に繰り返しオン・オフ信号を発して乾燥工程と脱離工程を繰り返し運転する。
【０００４】
乾燥工程とは風路切換部１０８は風路１０１を吹出口１０７ａを経て布団（図示せず）内に連通した位置１０８ａにある。この状態で、加熱源１０３は停止させ、送風機１０５のみを起動させると、吸込口１０６より導入された空気１１０は吸着材１０２を通過する際に空気中の水分を吸着除去され乾燥空気となる。この乾燥した空気１１０ａは、吹出口１０７ａを経て複数枚の布団（図示せず）の間に配した乾燥袋（図示せず）あるいは布団内に直接吹出され、布団が含有する水分を除去する。水分を除去した空気は布団の隙間などから自然に排出される。
【０００５】
一方、脱離工程は風路切換部１０８は風路１０１を排気口１０７ｂに連通した位置に１０８ｂある。この状態で、加熱源１０３及び送風機１０５を起動すると、吸込口１０６より導入された空気１１０は加熱源１０３で加熱されて温風となり、吸着材１０２を通過する際、吸着材１０２を加熱し、吸着材１０２に吸着している水分を脱離させる。脱離した水分を含有した多湿の空気１１０ｂは排気口１０７ｂを経て排気される。
【０００６】
【発明が解決しようとする課題】
しかしながら、このような従来の布団乾燥機では、タイマー回路１３１による所定時間の計時に基づいて乾燥工程と脱離工程とが運転回路１３０により交互に繰り返されるため、布団乾燥を連続的に行えないという問題があった。
【０００７】
本発明は、上記従来の問題点に鑑みてなされたものであり、乾燥空気を用いて連続的かつ速やかに布団乾燥を行える除湿機を提供することを目的とする。
【０００８】
【課題を解決するための手段】
上記目的を達成するために、本発明は、除湿する空気の吸気から排気に至る風路内に配設された吸湿材により空気中の水分を吸湿して乾燥した空気を排気する除湿機において、空気中の水分を吸着・離脱する吸湿材を充填した吸湿器と、除湿された空気から熱を回収する熱交換器と、前記吸湿器を加熱して吸湿材に吸着された水分を離脱させるためのヒータと、前記吸湿材から水分を離脱した高温の空気から水分を凝縮する凝縮器を備え、吸込口から吸い込まれた室内空気が、前記凝縮器と接触して該凝縮器を冷却した後、前記吸湿器により除湿され、該除湿された空気が前記熱交換器により熱を回収されて比較的低い温度の乾燥した空気となって吹出口に至る吸湿経路と、前記凝縮器より流出した空気が、前記熱交換器によって予熱され、さらに前記ヒータによって加熱された後、前記吸湿器の吸湿材から水分を離脱させ、該水分を離脱された空気が前記凝縮器にて水分を凝縮される閉回路を構成する再生経路とを有し、前記吸湿経路において、前記吸湿器を通過した後、前記熱交換器により熱を回収された比較的低い温度の乾燥した空気の排気として、布団などを乾燥させるための排気口を設けたことを特徴とする。これによると、除湿機から排気される乾燥した空気を利用して布団乾燥が行える。
【０００９】
また、本発明による除湿機は、前記吹出口の面積よりも小さい面積になるように形成されたダクト接続部と、該ダクト接続部に一端が連通接続されるダクトと、前記吹出口を開放若しくは閉塞するダンパーとを有し、前記ダクトの他端は除湿機本体に着脱自在に装着されており、該他端を脱した状態で使用され、前記ダンパーによって前記吹出口を閉塞状態とすることにより前記ダクトを経由して排気される乾燥した空気を用いて布団などの乾燥を行えるようにしたことを特徴とする。
【００１０】
また、本発明による除湿機は、前記吸湿経路内に設けられた第１送風手段と、前記再生経路内に設けられた第２送風手段とを有することを特徴とする。
【００１１】
従って、本発明に係る除湿機によると、前記吸湿器を通過した後、前記熱交換器により熱を回収された比較的低い温度の乾燥した空気を用いて布団などの乾燥を行える。
【００１２】
また、前記開口部の面積を前記排気口の面積より小さくしたことにより、前記ダンパーによって前記排気口が閉塞されているときに、前記開口部を介しダクトを経由して排気される空気は、前記排気口から排気される空気より圧力が高い状態で排気される。従って、この場合は、排気の風速が速くなり、短時間に大量の乾燥した空気を送り込んで効率よく布団などの乾燥が行える。
【００１３】
尚、前記ダクトの他端は除湿機本体に着脱自在に装着されており、該他端を脱した状態で前記ダクトは上記布団の乾燥に使用可能となるようにすれば、前記ダクトを装着した状態では布団乾燥用の空気が前記ダクトから排気されることがないため、除湿機の安全性が高くなる。
【００１４】
この場合、前記ダンパーの開閉を検知するダンパー開閉検知手段と、前記ダクトの除湿機本体への上記装着を検知するダクト収納検知手段と、これらの手段の出力を用いて、
（１）前記ダンパーが開かれている場合において、前記ダクト収納検知手段により前記ダクトの上記他端装着が検知されたときは、除湿モードで除湿機を運転し、
（２）前記ダンパーが閉じられている場合において、前記ダクト収納検知手段により前記ダクトの上記他端装着が検知されなかったときは、布団乾燥モードで除湿機を運転し、
（３）（１）又は（２）のいずれにも該当しないときは、除湿機の運転を停止させるように制御する制御部とを設けることにより、前記ダンパー及び前記ダクトの状態に応じて除湿機の上記制御が適切に行われる。
【００１５】
ところで、前記第１送風手段を前記吸湿器の上流側に設けると、前記第１送風手段により吸い込まれた室内の空気は、第１送風手段、凝縮器、吸湿器、熱交換器の順に通過するため、前記第１送風手段は、前記吸湿器を通過した吸湿経路の空気がもつ熱による影響を受けないため、安定した性能が維持される。
【００１６】
【発明の実施の形態】
以下、本発明の実施の形態について図面を参照して説明する。図１は、本発明に係る除湿機の外観斜視図である。図１において、１は除湿機本体、２は該本体１の前面に設けられ複数のスリットなどからなる吸込口、３は該吸込口２から吸い込まれた空気が吹き出される吹出口、４は入力操作によって除湿機の運転を制御するための操作部、５は本体１を持ち運ぶための把手、６は吹出口３を開放又は閉塞させるダンパー、７は吹出口３の上流側から分岐させて設けたダクトである。
【００１７】
本発明の第１の実施形態について図面を参照して説明する。図２は本実施形態を示す概略構成図である。図２において、８は第１領域８ａ、第２領域８ｂを通過しながら回転し空気中の水分を吸着・離脱する吸湿体を充填した吸湿器、９は半透明のポリプロピレン樹脂を用いたブロー成型品からなる凝縮器、１０は室内の空気を凝縮器９を介して第１領域８ａ通過中の吸湿器８に導き、吸湿体に水分を吸着された除湿空気を室内に送り出す除湿ファン、１１は第２領域８ｂ通過中の吸湿器８を加熱して吸湿体に吸着された水分を離脱させるためのヒータ、１２はヒータ１１で加熱された空気を第２領域８ｂ通過中の吸湿器８に導き、吸湿体から水分を離脱した高湿の空気を凝縮器９内に導き、凝縮器９で水分が凝縮することで除湿された空気を後述する再生経路１６内で循環させる再生ファン、１３は吸湿器８の第１領域８ａを通過して除湿された空気から熱を回収する熱交換器である。
【００１８】
尚、吸湿器８は、段ボール紙などの帯状のシート状基材に吸湿体としてゼオライトを溶かした溶剤を含浸・担持させた２枚の帯状平面シートのうち、一方のシート表面に、他方のシートに１ｍｍから１．５ｍｍ程度にコルゲート加工を施した波形シートを接着して一体化した片波成形体を巻回し、ロータとしたものである。
【００１９】
また、凝縮器９及び熱交換器１３は、抗菌加工の施された半透明のポリプロピレン樹脂を用いたブロー成型品で、漏れのない軽量な被凝縮流体通過管部を構成し、その内部は上部を略水平に接続する水平管、下部を略水平に接続する水平管、上部と下部との間に略水平に接続する２本の水平管と、これらの略水平方向の被凝縮流体通過管の間を略鉛直に連通させる多数本の略上下方向の被凝縮流体通過管とで連通している構成である。
【００２０】
また、ヒータ１１は、例えば、ニクロム線からなるヒータであり、４９５Ｗ，２９５Ｗ又は２２０Ｗと、除湿機の除湿能力に応じて出力を切り換えることができ、これによりこのヒータ１１を通過した直後の空気の温度が２００〜２５０℃の範囲内に維持される。更に、再生ファン１２としては、例えば、シロッコファンを使用でき、回転数が約１８００ｒｐｍで、風量が約０．１ｍの能力を有している。
【００２１】
尚、第１領域８ａは、室内空気の水分を吸湿体（吸湿器８）に吸着させるための空気通路で、第２領域８ｂは、再生経路１６の空気をヒータ１１で加熱し、加熱空気によって吸湿体（吸湿器８）より水分を離脱させるための空気通路である。
【００２２】
上記除湿機は、第１領域８ａを通過する吸湿器８に室内の空気を通して空気中の水分を吸湿体に吸着させて除湿空気を排気する吸湿経路１５と、閉回路を構成し第２領域８ｂを通過する回転体２に加熱空気を通すことにより吸湿体から水分を離脱させる再生経路１６との二経路を有する。
【００２３】
吸湿経路１５では、吸込口２から吸い込まれた室内空気（例えば２７℃、７０％）が凝縮器９の周囲と接触してこれを冷却した後、第１領域８ａ通過中の吸湿器８に接触することにより、吸湿器８内に充填された吸湿体にて水分を奪われて除湿した空気となる。この除湿した空気は、熱交換器１３の周囲と接触する際に熱交換器１３に熱を奪われ、比較的温度の低い乾燥した空気（約４５℃、５％以下）となって本体１の吹出し口３若しくはダクト７から排気される。尚、２４は室内空気に含まれる塵埃などを除去・回収するためのフィルタである。
【００２４】
一方、再生経路１６では、凝縮器９の下方から流出する空気（約３５℃）が暖められた熱交換器１３を通過する際、熱交換によって予熱され、更にヒータ１１によって約２００〜２５０℃に加熱された後、第２領域８ｂ通過中の吸湿器８内の吸湿体から水分を奪い取って吸湿体を再生させ、吸湿経路１５の空気で冷却された凝縮器９内で水分を結露させる。この結露により生じた水滴は、後述する受水槽１４に導かれる。第２領域８ｂを通過することにより再生された吸湿器８内の吸湿体は、矢印Ａ方向の回転によって第１領域８ａに移動し再び吸湿機能を発揮する。
【００２５】
この吸湿器８は、約３０回転／時間とゆっくり回転しているため、第２領域８ｂにおいてヒータ１１により加熱された空気が通過した後、吸湿器８に残留している熱の多くは回転中の吸湿器８から発散され、第１領域８ａに戻ったときには、吸湿器８自体の温度は約１２０〜１４０℃になっている。そして、その部分（即ち、第１領域８ａ）を除湿経路１５の空気が通過するため、乾燥した空気は暖められるが、熱交換器１３で熱回収され、室内空気より３〜５℃高い状態で排気される。このようにして熱交換器１３に蓄熱された熱によって再生経路１６内を流れる空気が予熱されることになる。
【００２６】
ところで、空気調和機のように冷凍サイクルを構成する圧縮機を用いて除湿する装置では、温度によって空気中の水分量が異なるので、除湿能力は温度が下がれば能力も低下する。これに対し、本発明に係る除湿機では、吸湿器８の吸湿能力は、吸湿器８の大きさによって変わり、温度の影響は受けにくいため、圧縮機を用いて除湿する装置に比べて温度が低くなっても除湿能力の低下が少ない。
【００２７】
また、１４は除湿機本体１内に配設された受水槽である。凝縮器９で凝縮した凝縮水は、入水管１４ａを経て受水槽１４内に流れ込み、該受水槽１４内で一時的に蓄えられる。密閉タンクにて形成された受水槽１４には上壁を貫通してポンプ１７と水位検知装置１８とが配設され、端部に前記入水管１４ａが接続されている。ポンプ１７には送水管１９が接続され、該送水管１９の先端には、本体１の上部開口部に開閉自在に設けられた蓋２２に固定された給水口２１が接続されている。貯水槽２０の上面には、蓋２２を閉じた状態で給水口２１の下端が接続される開閉弁２３が設けられている。尚、貯水槽２０は、蓋２２の開閉によって出し入れ自在に設置されている。
【００２８】
図中の実線で示すように、蓋２２が閉じられているときは、給水口２１が貯水槽２０の開閉弁２３を押圧し、水位検知装置１８によって所定値以上の水位が検知されると、ポンプ１７が作動して受水槽１４内に溜まった凝縮水が貯水槽２０に送水管１９を経て導入される。一方、図中点線で示す位置に蓋２２を開けると、給水口２１が開閉弁２３から離れてその押圧が解除されるため、ポンプ１７の起動が停止されて凝縮水の揚水が止まるとともに、貯水槽２０の開閉弁２３が閉じる。よって、蓋２２が開いた本体１の開口部から貯水槽２０を取り出して溜まった水を捨てることができる。
【００２９】
図３は、図１におけるダンパー周辺の要部側面断面図である。図３に示すように、本体１の上面の吹出口３には開口部を覆う開閉自在なダンパー６が設けられている。このダンパー６は、吹出口３の開放状態で空気の風向きを変える複数の風向板３１と、吹出口３の閉塞状態で空気の風向きをダクト７（図１）側に変える閉塞板３２とからなり、実線で示す閉鎖位置と、矢印Ｂの方向に回動した点線で示す全開位置との間を姿勢変姿できるように支点６ａで本体１に枢支されている。３４は金属製の作動板であり、その下端３４ａはダンパー６の開閉を検知するマイクロスイッチ３３に固定され、他端側に設けられた突出部３４ｂがダンパー６の開放状態において本体１の外部に突出するように本体１の後方に付勢されている。
【００３０】
図３の実線で示すダンパー６の閉塞状態では、作動板３４の突出部３４ｂがダンパー６の内面に押圧されて作動板３４が内側へ退避し、マイクロスイッチ３３の接点３３ａを閉じてマイクロスイッチ３３がＯＮになる。逆に、点線で示すダンパー６の開放状態では、作動板３４の突出部３４ｂはダンパー６から離れて押圧が解除されるため、接点３３ａが開いてマイクロスイッチ３３はＯＦＦになる。
【００３１】
図４は、図１におけるｘ−ｘ線断面図である。図４に示すように、ダクト７は、いずれも略円筒状の部材であるダクト差込口３５、ダクトホース３６及びダクト継手３７とから構成されている。ダクト差込口３５は、本体１に開口形成されたダクト接続口３８に接続される先端部の外周に沿って複数の係止爪３５ａが形成されており、その外径はダクト接続口３８の内径と略等しい寸法に選ばれている。従って、このダクト差込口３５をダクト接続口３８の奥まで挿入すると、係止爪３５ａと接続口３８の本体１の内部側の端部とが係合し、両者は確実に接続される。このようにして本体１に接続した後のダクト７は、ダクト差込口３５の部分で本体１の前後方向（紙面に垂直な方向）に一定の角度範囲内で回動可能となる。
【００３２】
ここで、ダクト接続口３８の面積は吸湿風路１５（図２）に対して狭められている（吹出口３の面積の約１／５）ため、前記ダンパー６により吹出口３を閉塞しているときは、圧力が高くなった状態で乾燥した空気がダクト７を経由して排気される。従って、この排気される空気の風速は速くなり、短時間で大量の乾燥した空気を送り込んで速やかに効率よく布団の乾燥が行える。
【００３３】
ダクトホース３６は、ジャバラ形状をした可撓性を有する樹脂で形成されており、約５０ｍｍの内径を有している。４０は水平断面がＵ字形状をしたダクト収納部材であり、その背面に設けた接続部４０ａで本体１下方の取付開口部４１に嵌合・固定されている。ダクト収納部材４０には、ダクト７のダクト継手３７を水平方向（Ｃの方向）から押し込んで嵌入でき、嵌入した後のダクト７は充分な把持力をもって固定される。また、ダクト収納部４０に取り付けた状態でダクト７の継手３７を持って、前記把持力よりも大きな力で矢印Ｃと反対方向に引っ張ると、ダクト７をダクト収納部材４０から引き抜くことができる。そして、布団の乾燥を行うときには、ダクト継手３７の先端に布団乾燥袋（図示せず）を接続する。
【００３４】
ところで、本体１内には、ダクト７の着脱を検知するマイクロスイッチ４２が設けられており、そのピン４２ａがダクト収納部材４０の接続部４０ａを貫通して突出している。従って、収納部材４０にダクト７のダクト継手３７を取り付けると、ピン４２ａが奥方に押し込まれて退避し、マイクロスイッチ４２をＯＮにする。逆に、ダクト７をダクト収納部材４０から取り外すと、ピン４２ａが再び突出してマイクロスイッチ４２はＯＦＦとなる。
【００３５】
図５は、この除湿機の制御機構のブロック図である。マイクロコンピュータ４３内には、除湿機の動作を制御する制御部４４があり、その入力側にはダンパー開閉検知手段（マイクロスイッチ）３３のＯＮ／ＯＦＦを判断するダンパー開閉判断部４５と、ダクト収納検知手段（マイクロスイッチ）４２のＯＮ／ＯＦＦを判断するダクト収納判断部４６と、本体１の外観部に設けられた操作部４（図１）にある除湿スイッチ４７及び布団乾燥スイッチ４８のＯＮ／ＯＦＦを検知するスイッチ回路４９とが接続されており、出力側には除湿ファン１０，再生ファン１２及びヒータ１１のそれぞれを通電・制御する除湿ファン駆動回路５０，再生ファン駆動回路５１及びヒータ駆動回路５２が接続されている。
【００３６】
以上の構成をもつ除湿機の動作について図５及び図６を参照して説明する。主電源（図示せず）を投入すると、ステップ＃１０でダンパー開閉検知手段３３によりダンパー６の開閉状態が検知され、ダンパー６が開いているときは、ステップ＃２０でダンパー開閉判断部４５によってダンパー開閉検知手段３３がＯＮ状態であると判断される。
【００３７】
そして、ステップ＃３０に移行してダクト収納検知手段４２によりダクト７のダクト収納部材４０（図４）への着脱が検知され、ダクト７が取り付けられているときは、ステップ＃４０でダクト収納判断部４６によってダクト収納検知手段４２がＯＮ状態であると判断される。
【００３８】
そして、ステップ＃５０で除湿スイッチ４７のＯＮ／ＯＦＦをスイッチ回路４９で検知し、該除湿スイッチ４７がＯＮされた場合、除湿ファン駆動回路５０，再生ファン駆動回路５１及びヒータ駆動回路５２に通電され、除湿運転を開始する（ステップ＃６０）。ステップ＃４０でダクト７が取り外されている場合、又はステップ＃５０で所定時間経過しても除湿スイッチ４７のＯＮが検知されない場合は、除湿機の電源を切って運転を停止する（ステップ＃１１０）。
【００３９】
ステップ＃２０で、ダンパー６が閉じられているときは、ダンパー開閉判断部４５でダンパー開閉検知手段３３がＯＦＦ状態であると判断される。そして、ステップ＃７０に移行してダクト収納検知手段４２によりダクト７のダクト収納部材４０（図４）への着脱が検知され、ダクト７が取り外されているときは、ステップ＃８０でダクト収納判断部４６によってダクト収納検知手段３３がＯＦＦ状態であると判断される。
【００４０】
そして、ステップ＃９０で布団乾燥スイッチ４８のＯＮ／ＯＦＦをスイッチ回路４９で検知し、該スイッチ４８がＯＮされた場合、除湿ファン駆動回路５０，再生ファン駆動回路５１及びヒータ駆動回路５２に通電され、布団乾燥運転を開始する（ステップ＃１００）。所定時間経過しても布団乾燥スイッチ４８のＯＮが検知されない場合は、除湿機の電源を切って運転を停止する（ステップ＃１１０）。万一、ダンパー６が閉塞状態で、かつ、ダクト７が収納された状態のときは、ステップ＃８０からステップ＃１１０に強制的に移行して、たとえ除湿スイッチ４７や布団乾燥スイッチ４８をＯＮにしても、安全のため除湿機を運転しない。
【００４１】
本発明の第２の実施形態について図７を参照して説明する。本実施形態では、図７に示すように、除湿ファン１０を吸湿器８の上流側に設けている。室内の空気が除湿ファン１０に吸い込まれ、凝縮器９を冷却し、吸湿器８で空気中の水分を吸着させ、乾燥した空気となり、熱交換器１３で再生空気を予熱して器具外に放出される。これによると、吸湿器８を通った空気による熱の影響が、除湿ファン１０に直接及ぶことがないので、除湿ファン１０の性能を安定して維持でき、そのために除湿機の制御も容易になる。
【００４２】
【発明の効果】
以上説明したように本発明に係る除湿機によると、温度の比較的低い乾燥した空気で連続的に布団の乾燥が行えるため、乾燥の対象となる布団が綿布団、羽毛布団あるいはウール布団などどんなものであっても、布団の耐熱性による心配がない。従って、布団の種類に応じて温度を調節する必要がなく、しかも布団を被せた布団乾燥袋から吹き出る乾燥した空気で布団の水分を蒸発させて速やかに効率よく布団の乾燥を行える除湿機を提供できる。
【００４３】
また、布団の乾燥に用いるダクトの一端を除湿機本体に固定した状態で、他端を除湿機本体に着脱自在に装着し、該他端を脱したときに前記ダクトは使用可能となるようにしたので、安全性の面でも優れた除湿機を提供できる。
【図面の簡単な説明】
【図１】    本発明に係る除湿機の外観斜視図である。
【図２】    本発明の第１の実施形態に係る除湿機の概略構成図である。
【図３】    図１におけるダンパー周辺の要部側面断面図である。
【図４】    図１におけるｘ−ｘ線断面図である。
【図５】    その除湿機の制御機構のブロック図である。
【図６】    その除湿機の制御の方法を示すフローチャートである。
【図７】    本発明の第２の実施形態に係る除湿機の概略構成図である。
【図８】    従来の布団乾燥機の構成を示す断面斜視図である。
【図９】    その従来の布団乾燥機の制御回路のブロック図である。
【符号の説明】
１    除湿機本体
２    吸込口
３    吹出口
４    操作部
５    把手
６    ダンパー
７    ダクト
８    回転体
９    凝縮器
１０  除湿ファン
１１  ヒータ
１２  再生ファン
１３  熱交換器
１４  受水槽
１５  吸湿経路
１６  再生経路
１７  ポンプ
１８  水位検知装置
１９  送水管
２０  貯水槽
２１  給水口
２２  蓋
２３  開閉弁
２４  フィルタ
３１  風向板
３２  閉塞板
３３  マイクロスイッチ（ダンパー開閉検知手段）
３４  作動板
３５  ダクト差込口
３６  ダクトホース
３７  ダクト継手
３８  ダクト接続口
４０  ダクト収納部材
４１  取付開口部
４２  マイクロスイッチ（ダクト収納検知手段）
【図１】
0004036590.tif 000002
【図２】
0004036590.tif 000003
【図３】
0004036590.tif 000004
【図４】
0004036590.tif 000005
【図５】
0004036590.tif 000006
【図６】
0004036590.tif 000007
【図７】
0004036590.tif 000008
【図８】
0004036590.tif 000009
【図９】
0004036590.tif 000010